(57)【特許請求の範囲】
【請求項１】
少なくとも、底板、左右側板、後板、天板、扉板を有する組立式保管庫において、後板の左右端の折り曲げ部と左右側板の後方端部折り返し部とを嵌め込み、後板の両側部に穿設した孔と左右側板の折り曲げ端部に穿設した孔とを下部止め具で固定し、下枠を左右側板の手前側部にはめ込みネジ止めし、左右側板と後板の上部に形成したＵ溝部に天板を差し込みながらはめ込み、上部止め具で左右側板と天板を固定し、天板を左右側板の上部にネジ止め固定し、下枠を左右側板の手前側下部に嵌め込みネジ止めし、底板の四周辺に形成した折り曲げ部を後板、左右側板、下枠のＵ溝部に嵌め込み、下部止め具の弾性リブが底板後部に穿設した角孔に入り、底板の後部は抜けなくなり、扉部の下部軸受孔に下部蝶番の回転軸を差し込み、扉板の上部軸受孔に上部蝶番の回転軸を差し込み、上部蝶番を天板の蝶番取付孔に差し込み、天板上面のネジ孔よりネジで上部蝶番を固定してなることを特徴とする組立式保管庫。
【発明の詳細な説明】
【０００１】
【発明の属する技術分野】
本発明は、ネジ止め箇所をできるだけ少なくし、強度を維持できるようにし、だれでも簡単に組み立てられる組立式保管庫に関するものである。
【０００２】
【従来の技術】
従来技術として、少なくとも、底板と、左右側板と、後板と、天板を有する組立式キヤビネツトにおいて、底板の左右端部下面に、外面側が開口する奥行方向ほぼ全幅にわたつて側板嵌合溝を形成し、側板下端部に前記側板嵌合溝に側方から嵌入する嵌合突片を内方に向かつて突出せしめ、側板前後端部内面に前枠嵌合部と後板嵌合部を、上端を開口して高さ方向全幅にわたつて形成せしめ、前枠の左右枠縁を前記前枠嵌合部の上方から内嵌すると共に、後板の左右側板嵌合突片を前記後板嵌合部に上方から嵌入して、後板、左右側板、及び前枠を互いに連結する一方、前面部に形成した上枠縁嵌合部を前枠の上枠縁に外嵌せしめて、左右側板、後板の上端部に天板をとりつけた組立式キヤビネツト（実公平３−４０１６８号公報参照）が存在している。
【０００３】
【発明が解決しようとする課題】
しかしながら、前記の従来技術には次のような課題がある。底板の嵌合溝と側板下端部に底板嵌合溝に側方から嵌入する嵌合突片を内方に向かって突出せしめ、この嵌合溝に突片を嵌入し、後板、左右側板、及び前枠を嵌合部を介して嵌合せしめて、天板、後板、左右側板、前枠を嵌合して組み立てるものであるために、側方から嵌入したり、上方から嵌入しなければ組み立てられない。しかも、係止具、例えばネジなどを一切使用していないために、嵌合だけによるガタやズレがでるので組立て後の強度に問題がある。
【０００４】
本発明は、このような事情に鑑み、前記従来技術の欠点を解消し、簡単な構成により解決したものである。それは、一種類の上部止め具と一種類の下部止め具を最大限活用して後板、左右側板、底板、天板にそれぞれ端部に折り曲げＵ溝部を形成、そのそれぞれのＵ溝部を介して互いに嵌入し、同時に上部止め具、下部止め具を用いて係止して組み立てる組立式保管庫を提供することを目的とするものである。
【０００５】
【課題を解決するための手段】
本発明は、前記課題の解決を図ったもので、次のような技術手段を採用した。請求項１記載の発明においては、少なくとも、底板、左右側板、後板、天板、扉板を有する組立式保管庫において、後板の左右端の折り曲げ部と左右側板の後方端部折り返し部とを嵌め込み、後板の両側部に穿設した孔と左右側板の折り曲げ端部に穿設した孔とを下部止め具で固定し、下枠を左右側板の手前側部にはめ込みネジ止めし、左右側板と後板の上部に形成したＵ溝部に天板を差し込みながらはめ込み、上部止め具で左右側板と天板を固定し、天板を左右側板の上部にネジ止め固定し、下枠を左右側板の手前側下部に嵌め込みネジ止めし、底板の四周辺に形成した折り曲げ部を後板、左右側板、下枠のＵ溝部に嵌め込み、下部止め具の弾性リブが底板後部に穿設した角孔に入り、底板の後部は抜けなくなり、扉部の下部軸受孔に下部蝶番の回転軸を差し込み、扉板の上部軸受孔に上部蝶番の回転軸を差し込み、上部蝶番を天板の蝶番取付孔に差し込み、天板上面のネジ孔よりネジで上部蝶番を固定してなるという技術手段を採用した。
【０００６】
【発明の実施の形態】
図２に示すものは、本発明の合成樹脂製で一体的に弾性突片１を有する上部止め具２を斜視図として示すものである。また、図３に示すものは、同様に合成樹脂製で一体的に３面に対して弾性リブ１０を有する下部止め具を斜視図として示すものである。これら上部、下部止め具２、３を利用して組み立てた保管庫が図１で示す完成品斜視図である。
【０００７】
【実施例】
以下、本発明の具体的な実施例を添付図面で詳細に説明する。
図４に示したものは本発明の具体的な一実施例における組立式保管庫の分解斜視図である。この図４と図５〜図７に基づいて説明する。
先ず、各部材について説明すると、保管庫本体Ａは後板４、左右側板５、下枠１１、天板１２、底板１４、扉１６からなるものである。そして、後板４には左右側板５に係合する折り曲げ部６と、上下にＵ溝部１３と、左右端下部の孔９を形成し、左右側板５には後方に折り返し部７と、後方下部の孔８と、上下にＵ溝部１３とを形成し、下枠１１には、回転軸１９を有する下部蝶番１８が設けられている。
【０００８】
天板１２には、上部蝶番取付孔２３とネジ孔２４が形成され、底板１４には、四周辺に下方に折り曲げた折り曲げ部１５が形成されている。そして、扉１６には、下方端部に下部軸受孔１７と、上方端部に上部軸受孔２０と、該上部軸受孔２０に係合して回転軸２２を有する上部蝶番２１が設けられている。そして、これらを組み立てる上で図２で示す弾性突片１を有する上部止め具２と、図３で示す第１弾性リブ１０を２面と、第２弾性リブ２５を１面に有する下部止め具３を利用して以下のように組立固定するものである。
【０００９】
以上のような各部材から構成される組立式保管庫の組立順序を説明する。
図４に示すように、後板４の左右端の折り曲げ部６と左右側板５の後方端部折り返し部７とを嵌め込み（ｇ）（図６を参照）、さらに、左右側板５の後方下部の孔８と後板４の左右端下部の孔９を介して図３で示した下部止め具３を差し込み（ｆ）固定する。この際、下部止め具３の３面のうち２面に形成した第１弾性リブ１０でひっかかり、抜けなくなるものである。これは、本体後下部に相当する左右側板５と、後板４の噛み合わせ部に部品をはめ込むことにより、本体のねじれによる左右側板５と後板４のズレを防止し、なおかつ底板１４の浮き上がりをも止める。
【００１０】
続いて、下枠１１を左右側板５の手前側下部に嵌め込み（ｋ）ネジ止めする。さらに天板１２を左右側板５と後板４の上部に形成したＵ溝部１３に差し込みながら嵌め込む（ｍ）。これは、図２に示した上部止め具２を図４、図５、図７に示すように嵌入して固定することにより、上部止め具２の弾性突片１が天板１２と後板４、天板１２と左右側板５が固定される（ｎ）。これは天板の固定を同一部品を複数使うことで簡単にはめ込み固定できる。さらに天板１２の固定を確実にするためにネジ止め（ａ）する。
【００１１】
次に、底板１４の四周辺に形成した折り曲げ部１５を後板４、左右側板５、下枠１１のＵ溝部１３に嵌め込む（ｄ）。しかも、下部止め具３の第２弾性リブ２５が底板１４後部の角孔２６に入り後部は固定される（ｆ）。
【００１２】
次に、片側ずつ図４に示すように扉１６の下部軸受孔１７に下部蝶番１８の回転軸１９を差し込む（ｈ）、扉１６の上部軸受孔２０に上部蝶番２１の回転軸２２を差し込む（ｃ）、上部蝶番２１を天板１２の上部蝶番取付孔２３に差し込む（ｃ）、天板１２の上面のネジ孔２４よりネジで上部蝶番２１を固定（ｂ）する。なお、これは本体内部からネジで固定しても良い。これに、フック孔にフックを取り付け棚板を取り付けることにより、保管庫を組み立てるものである。
【００１３】
以上、両開き扉を有する組立式保管庫について説明したが、キャビネット等のように引き出しを有するもの、引き違い扉を有する組立式保管庫、片開き扉を有する組立式保管庫にも応用することができる。
【００１４】
【発明の効果】
本発明は、以上の構成を採用した結果、次のような効果を得ることができる。
（１）ネジ止め箇所をできるだけ少なくしたことにより、強度を維持できる。（２）だれでも簡単に組み立てられる構造である。
【図面の簡単な説明】
【図１】  本発明の保管庫の完成品を示す斜視図である。
【図２】  本発明の上部止め具を示す斜視図である。
【図３】  本発明の下部止め具を示す斜視図である。
【図４】  本発明の保管庫の分解斜視図である。
【図５】  本発明の保管庫の一部縦断面図である。
【図６】  本発明の保管庫の一部横断面図である。
【図７】  本発明の保管庫の奥行方向の一部縦断面図である。
【符号の説明】
１・・・・弾性突片                      ２・・・・上部止め具
３・・・・下部止め具                    ４・・・・後板
５・・・・左右側板                      ６・・・・折り曲げ部
７・・・・折り返し部                    ８・・・・左右側板の後方下部の孔
９・・・・後板の左右端下部の孔        １０・・・・第１弾性リブ
１１・・・・下枠                        １２・・・・天板
１３・・・・Ｕ溝部                      １４・・・・底板
１５・・・・折り曲げ部                  １６・・・・扉
１７・・・・下部軸受孔                  １８・・・・下部蝶番
１９・・・・回転軸                      ２０・・・・上部軸受孔
２１・・・・上部蝶番                    ２２・・・・回転軸
２３・・・・上部蝶番取付孔              ２４・・・・ネジ孔
２５・・・・第２弾性リブ                ２６・・・・角孔
Ａ・・・・保管庫本体
【図１】
0003865480.tif 000002
【図２】
0003865480.tif 000003
【図３】
0003865480.tif 000004
【図４】
0003865480.tif 000005
【図５】
0003865480.tif 000006
【図６】
0003865480.tif 000007
【図７】
0003865480.tif 000008